【手続補正書】
【提出日】平成22年3月29日(2010.3.29)
【手続補正１】
【補正対象書類名】特許請求の範囲
【補正対象項目名】全文
【補正方法】変更
【補正の内容】
【特許請求の範囲】
【請求項１】
導電性支持体及び感光層を有し、更に該導電性支持体と該感光層との間に中間層を有する電子写真感光体を製造する方法において、
酸化チタンを含有する金属酸化物粒子と、
下記式（１−６）、（２−８）又は（３−６）で示される電子輸送性化合物と、
ビニルトリメトキシシラン又はチタニウムエトキサイドと、
バインダー樹脂としてのポリアミド樹脂と
を含む塗工液を塗布した後、これを加熱することによって、該中間層を形成することを特徴とする電子写真感光体の製造方法。
【化１】
2008250083.tif 000001
【手続補正２】
【補正対象書類名】明細書
【補正対象項目名】発明の名称
【補正方法】変更
【補正の内容】
【発明の名称】電子写真感光体の製造方法
【手続補正３】
【補正対象書類名】明細書
【補正対象項目名】０００１
【補正方法】変更
【補正の内容】
【０００１】
本発明は、電子写真感光体の製造方法に関する。
【手続補正４】
【補正対象書類名】明細書
【補正対象項目名】００１７
【補正方法】変更
【補正の内容】
【００１７】
本発明の目的は、前述のような帯電ムラや帯電不良に起因する画像不良を抑制する電子写真感光体を製造する方法を提供することにある。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】変更
【補正の内容】
【００２０】
本発明に従って、導電性支持体及び感光層を有し、更に該導電性支持体と該感光層との間に中間層を有する電子写真感光体を製造する方法において、
酸化チタンを含有する金属酸化物粒子と、
下記式（１−６）、（２−８）又は（３−６）で示される電子輸送性化合物と、
ビニルトリメトキシラン又はチタニウムエトキサイドと、
バインダー樹脂としてのポリアミド樹脂と
を含む塗工液を塗布した後、これを加熱することによって、該中間層を形成することを特徴とする電子写真感光体の製造方法が提供される。
【手続補正８】
【補正対象書類名】明細書
【補正対象項目名】００２１
【補正方法】変更
【補正の内容】
【００２１】
【化２】
2008250083.tif 000002
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】変更
【補正の内容】
【００２８】
本発明によれば、帯電ムラや帯電不良に起因する画像不良を抑制する電子写真感光体を製造する方法を提供することができる。
【手続補正１６】
【補正対象書類名】明細書
【補正対象項目名】００３９
【補正方法】変更
【補正の内容】
【００３９】
中間層のバインダー樹脂としては、ポリアミド樹脂が用いられる。
【手続補正１７】
【補正対象書類名】明細書
【補正対象項目名】００４０
【補正方法】変更
【補正の内容】
【００４０】
本発明においては、中間層は、酸化チタンを含有する金属酸化物粒子と、上記式（１−６）、（２−８）又は（３−６）で示される電子輸送性化合物と、ビニルトリメトキシシラン又はチタニウムエトキサイドと、バインダー樹脂としてのポリアミド樹脂とを含む塗工液を塗布した後、これを加熱することによって形成される。酸化チタンを含有する金属酸化物粒子と、上記式（１−６）、（２−８）又は（３−６）で示される電子輸送性化合物と、ビニルトリメトキシシラン又はチタニウムエトキサイドと、バインダー樹脂としてのポリアミド樹脂とを含む塗工液を塗布した後、これを加熱することによって形成された中間層を有する感光体が、前述のような画像不良を抑制し優れた画像特性を有する理由はまだ解明されてはない。だが本発明者らは、金属酸化物と電子輸送性化合物、及びバインダー樹脂の相互作用の結果、感光体の微小な領域での帯電性能・帯電均一性までもが大きく改善され、優れた画像特性を有するものになったと考えている。
【手続補正１８】
【補正対象書類名】明細書
【補正対象項目名】００４１
【補正方法】変更
【補正の内容】
【００４１】
電子輸送性化合物の例を、表１、表２及び表３に挙げる。
【手続補正１９】
【補正対象書類名】明細書
【補正対象項目名】００４５
【補正方法】削除
【補正の内容】
【手続補正２０】
【補正対象書類名】明細書
【補正対象項目名】００４６
【補正方法】削除
【補正の内容】
【手続補正２１】
【補正対象書類名】明細書
【補正対象項目名】００４７
【補正方法】変更
【補正の内容】
【００４７】
電子輸送性化合物は、中間層全体に対して３質量％以上９０質量％以下が好ましく、より好ましくは１０質量％以上７０質量％以下である。この範囲内にすることにより帯電ムラや帯電不良に起因する画像不良を抑制でき良好な画像が得られ易い。
【手続補正２２】
【補正対象書類名】明細書
【補正対象項目名】００４８
【補正方法】削除
【補正の内容】
【手続補正２３】
【補正対象書類名】明細書
【補正対象項目名】００４９
【補正方法】変更
【補正の内容】
【００４９】
また、中間層の塗工液に、シランカップリング剤であるビニルトリメトキシシランや有機金属化合物であるチタニウムエトキサイドを含有させることによって、帯電ムラと帯電不良の抑制効果はより高いものとなる。
【手続補正２４】
【補正対象書類名】明細書
【補正対象項目名】００５０
【補正方法】削除
【補正の内容】
【手続補正２５】
【補正対象書類名】明細書
【補正対象項目名】００５１
【補正方法】削除
【補正の内容】
【手続補正２６】
【補正対象書類名】明細書
【補正対象項目名】００５２
【補正方法】削除
【補正の内容】
【手続補正２７】
【補正対象書類名】明細書
【補正対象項目名】００５３
【補正方法】削除
【補正の内容】
【手続補正２８】
【補正対象書類名】明細書
【補正対象項目名】００７６
【補正方法】変更
【補正の内容】
【００７６】
実施例１〜３２、３４〜３８、４０〜４２及び４５〜５６は参考例である。
（合成例１）
トルエン１００質量部、エタノール５０質量部中、４−ヒドロキシフェニルボロン酸０．９１質量部に、窒素雰囲気下で２−ブロモ−９，１０−フェナントレンジオン０．５５質量部を加え、２０％炭酸ナトリウム水溶液１００質量部滴下後、テトラキス（トリフェニルホスフィン）パラジウム（０）（Ｐｄ（ＰＰｈ３）４）０．２８質量部を添加した後に２時間還流させた。反応後有機相をクロロホルムで抽出し、水洗後、無水硫酸ナトリウムで乾燥を行った。溶媒を減圧下で除去後、残留物をシリカゲルクロマトグラフィーで精製を行い、淡黄色結晶を０．４５質量部得た。